【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】
情報記録媒体に予めプリフォーマットされたプリピットまたはウォブルがトラック中心よりずらして設けられた情報記録媒体に対して、レーザ光を照射して該情報記録媒体上の記録エリアに情報の未記録部分とは物性的に異なる記録部分を形成し、該記録された情報を再生する光ディスク装置において、
前記トラック中心よりずらして設けられたプリピットまたはウォブルの信号レベルを検出する検出手段と、
該検出された各レベルを保持し演算する保持演算手段と、
情報記録媒体上のトラック方向の光スポット位置制御とフォーカス方向の光スポット位置制御を行なう位置制御手段と、
を具備し、
トラック中心よりずらして設けたプリピットまたはウォブルの信号レベルを、フォーカス方向の光スポット位置制御毎に検出し、得られた信号レベルに演算を施し、一方のプリピットまたはウォブルの演算後の信号レベル最大値と、他方のプリピットまたはウォブルの演算後の信号レベル最大値を得、両演算後の信号レベル最大値に対応する各フォーカス方向の光スポット位置制御の中間にフォーカス方向の光スポット位置制御を行なうことを特徴とする光ディスク装置。
【請求項２】
請求項１に記載の光ディスク装置において、一方のプリピットまたはウォブルの信号レベルと他方のプリピットまたはウォブルの信号レベルを、フォーカス方向の光スポット位置制御毎に加算することと、前記加算結果が最大となるフォーカス方向の光スポット位置制御を行なうことを特徴とする光ディスク装置。
【請求項３】
請求項２に記載の光ディスク装置において、一方のプリピットまたはウォブルの信号レベルと他方のプリピットまたはウォブルの信号レベルを、フォーカス方向の光スポット位置制御毎に加算することと、前記加算結果に対して多項式近似等の演算を施した演算結果が最大となるフォーカス方向の光スポット位置制御を行なうことを特徴とする光ディスク装置。
【請求項４】
情報記録媒体に予めプリフォーマットされたプリピットまたはウォブルがトラック中心よりずらして設けられた情報記録媒体に対して、レーザ光を照射して該情報記録媒体上の記録エリアに情報の未記録部分とは物性的に異なる記録部分を形成し、該記録された情報を再生する光ディスク装置において、
前記トラック中心よりずらして設けられたプリピットまたはウォブルの信号レベルを検出する検出手段と、
該検出された各レベルを保持し演算する保持演算手段と、
情報記録媒体上のトラック方向の光スポット位置制御とフォーカス方向の光スポット位置制御を行なう位置制御手段と、
を具備し、
トラック方向の光スポット位置制御を実施した後に、前記プリピットまたはウォブル等の各信号レベルを用いてフォーカス方向の光スポット位置制御を行なうことを特徴とする光ディスク装置。
【請求項５】
請求項４に記載の光ディスク装置のトラック方向の光スポット位置制御において、
第１にトラック中心よりずらして設けられたプリピットまたはウォブルの信号レベルを検出し、検出した２つの信号レベルがほぼ等しい、または、２つの信号レベル差がほぼ零になるトラック方向の光スポット位置制御を行ない、
第２に前記トラック方向の光スポット位置制御状態において、フォーカス方向の光スポット位置制御によって前記トラック中心よりずらして設けられたプリピットまたはウォブルの信号レベルを、フォーカス方向の光スポット位置制御毎に検出し、一方のプリピットまたはウォブルの信号レベルの最大値と他方のプリピットまたはウォブルの信号レベルの最大値を得る各フォーカス方向の光スポット位置制御の中間にフォーカス方向の光スポット位置制御を行なうことを特徴とする光ディスク装置。
【請求項６】
請求項４に記載の光ディスク装置のトラック方向の光スポット位置制御において、
第１にトラック中心よりずらして設けられたプリピットまたはウォブルの信号レベルを検出し、検出した２つの信号レベルがほぼ等しい、または、２つの信号レベル差がほぼ零になるトラック方向の光スポット位置制御を行ない、
第２に前記トラック方向の光スポット位置制御状態において、フォーカス方向の光スポット位置制御によって前記トラック中心よりずらして設けられたプリピットまたはウォブルの信号レベルを、フォーカス方向の光スポット位置制御毎に検出し、一方のプリピットまたはウォブルの信号レベルと他方のプリピットまたはウォブルの信号レベルを、フォーカス方向の光スポット位置制御毎に加算することと、前記加算結果が最大となるフォーカス方向の光スポット位置制御を実施することを特徴とする光ディスク装置。
【請求項７】
請求項１に記載の光ディスク装置において、
第１にトラック中心よりずらして設けられたプリピットまたはウォブルの信号レベルを検出し、検出した２つの信号レベルがほぼ等しい、または、２つの信号レベル差がほぼ零になるトラック方向の光スポット位置制御を行ない、
第２に前記トラック方向の光スポット位置制御状態において、フォーカス方向の光スポット位置制御によって前記トラック中心よりずらして設けられたプリピットまたはウォブルの信号レベルを、フォーカス方向の光スポット位置制御毎に検出し、一方のプリピットやウォブル等の信号レベルと他方のプリピットやウォブル等の信号レベルを、フォーカス方向の光スポット位置制御毎に加算することと、前記加算結果に対して多項式近似等の演算を施した演算結果が最大となるフォーカス方向の光スポット位置制御を行なうことを特徴とする光ディスク装置。
【請求項８】
データを記録可能なトラックと、該トラックに対して略１／２トラックだけ外側にずれて予め設置されている第１のプリピット信号と、前記トラックに対して略１／２トラックだけ内側にずれて予め設置されている第２のプリピット信号とを有する光ディスクに対し記録または再生動作を行う光ディスク装置であって、
レーザ光を照射するレーザと、
前記レーザ光を集光し前記光ディスク上に光スポットを形成する対物レンズと、
該対物レンズをフォーカス方向に位置制御するアクチュエータと、
前記第１または第２のプリピット信号による反射光の振幅レベルを検出する検出手段と、
該検出手段の検出結果を複数保持する保持手段と、
該保持手段に保持された各振幅レベルから前記第１または第２のプリピット信号に対する最適フォーカスオフセットをそれぞれ演算する演算手段と、
前記第１および前記第２のプリピット信号に対する最適フォーカスオフセットに基づいて前記アクチュエータを駆動させるためのフォーカスオフセットを決定し、該フォーカスオフセットに基づいて前記アクチュエータを制御する制御手段と、
を具備することを特徴とする光ディスク装置。
【請求項９】
請求項８に記載の光ディスク装置において、前記制御手段は、前記対物レンズを複数回フォーカス方向に位置制御させ、
前記演算手段は、各位置において検出された振幅レベルから多項式近似を行い、該多項式近似の結果から第１および第２のプリピット信号からの反射光の振幅レベルが最大となる最適フォーカスオフセットをそれぞれ演算し、
さらに、前記制御手段は、前記演算手段により求められた第１および第２のプリピット信号に対する最適フォーカスオフセットの平均であるフォーカスオフセットを演算し、該フォーカスオフセットに基づいて前記アクチュエータを制御することを特徴とする光ディスク装置。
【請求項１０】
請求項８または９に記載の光ディスク装置において、さらに、前記対物レンズをトラッキング方向に位置制御する第２のアクチュエータを具備しており、
前記フォーカスオフセットを演算するのに先立ち、
前記制御手段は、前記対物レンズを複数回トラッキング方向に位置制御させ、前記演算手段は、各位置において検出された振幅レベルから線形近似を行い、該線形近似の結果から第１および第２のプリピット信号からの反射光の振幅レベルがほぼ等しくなる最適トラッキングオフセットを演算し、
さらに、前記制御手段は、前記演算手段により求められた最適トラッキングオフセットに基づいて前記第２のアクチュエータを制御することを特徴とする光ディスク装置。
【請求項１１】
データを記録可能なトラックと、該トラックに対して略１／２トラックだけ外側にずれて予め設置されている第１のウォブル信号と、前記トラックに対して略１／２トラックだけ内側にずれて予め設置されている第２のウォブル信号とを有する光ディスクに対し記録または再生動作を行う光ディスク装置であって、
レーザ光を照射するレーザと、
前記レーザ光を集光し前記光ディスク上に光スポットを形成する対物レンズと、
該対物レンズをフォーカス方向に位置制御するアクチュエータと、
前記第１または第２のウォブル信号による反射光の振幅レベルを検出する検出手段と、
該検出手段の検出結果を複数保持する保持手段と、
該保持手段に保持された各振幅レベルから前記第１または第２のウォブル信号に対する最適フォーカスオフセットをそれぞれ演算する演算手段と、
前記第１および前記第２のウォブル信号に対する最適フォーカスオフセットに基づいて前記アクチュエータを駆動させるためのフォーカスオフセットを決定し、該フォーカスオフセットに基づいて前記アクチュエータを制御する制御手段と、
を具備することを特徴とする光ディスク装置。
【請求項１２】
請求項１１に記載の光ディスク装置において、前記制御手段は、前記対物レンズを複数回フォーカス方向に位置制御させ、
前記演算手段は、各位置において検出された振幅レベルから多項式近似を行い、該多項式近似の結果から第１および第２のウォブル信号からの反射光の振幅レベルが最大となる最適フォーカスオフセットをそれぞれ演算し、
さらに、前記制御手段は、前記演算手段により求められた第１および第２のウォブル信号に対する最適フォーカスオフセットの平均であるフォーカスオフセットを演算し、該フォーカスオフセットに基づいて前記アクチュエータを制御することを特徴とする光ディスク装置。
【請求項１３】
請求項１１または１２に記載の光ディスク装置において、さらに、前記対物レンズをトラッキング方向に位置制御する第２のアクチュエータを具備しており、
前記フォーカスオフセットを演算するのに先立ち、
前記制御手段は、前記対物レンズを複数回トラッキング方向に位置制御させ、前記演算手段は、各位置において検出された振幅レベルから線形近似を行い、該線形近似の結果から第１および第２のウォブル信号からの反射光の振幅レベルがほぼ等しくなる最適トラッキングオフセットを演算し、
さらに、前記制御手段は、前記演算手段により求められた最適トラッキングオフセットに基づいて前記第２のアクチュエータを制御することを特徴とする光ディスク装置。
【請求項１４】
データを記録可能なトラックと、該トラックに対して略１／２トラックだけ外側にずれて予め設置されている第１のプリピット信号と、前記トラックに対して略１／２トラックだけ内側にずれて予め設置されている第２のプリピット信号とを有する光ディスクに対し記録または再生動作を行う光ディスク装置であって、
レーザ光を照射するレーザと、
前記レーザ光を集光し前記光ディスク上に光スポットを形成する対物レンズと、
該対物レンズをフォーカス方向に位置制御するアクチュエータと、
前記第１または第２のプリピット信号による反射光の振幅レベルを検出する検出手段と、
該検出手段の検出結果を複数保持する保持手段と、
該保持手段に保持された各振幅レベルから前記第１のプリピット信号および第２のプリピット信号の信号レベルをフォーカス方向の光スポット位置制御毎に検出し、第１のプリピット信号の信号レベル最大値と、第２のプリピット信号の信号レベル最大値を得、両信号レベル最大値に対応するフォーカスオフセットの中間にフォーカスオフセットを設定する演算手段と、
該演算手段により設定されたフォーカスオフセットに基づいて前記アクチュエータを制御する制御手段と、
を具備することを特徴とする光ディスク装置。
【請求項１５】
データを記録可能なトラックと、該トラックに対して略１／２トラックだけ外側にずれて予め設置されている第１のウォブル信号と、前記トラックに対して略１／２トラックだけ内側にずれて予め設置されている第２のウォブル信号とを有する光ディスクに対し記録または再生動作を行う光ディスク装置であって、
レーザ光を照射するレーザと、
前記レーザ光を集光し前記光ディスク上に光スポットを形成する対物レンズと、
該対物レンズをフォーカス方向に位置制御するアクチュエータと、
前記第１または第２のウォブル信号による反射光の振幅レベルを検出する検出手段と、
該検出手段の検出結果を複数保持する保持手段と、
該保持手段に保持された各振幅レベルから前記第１のウォブル信号および第２のウォブル信号の信号レベルをフォーカス方向の光スポット位置制御毎に検出し、第１のウォブル信号の信号レベル最大値と、第２のウォブル信号の信号レベル最大値を得、両信号レベル最大値に対応するフォーカスオフセットの中間にフォーカスオフセットを設定する演算手段と、
該演算手段により設定されたフォーカスオフセットに基づいて前記アクチュエータを制御する制御手段と、
を具備することを特徴とする光ディスク装置。